(57)【要約】【課題】多層化したリールの各々を遊技者が選択的に停止指示させることのできる遊技機の提供を目的とする。【解決手段】各々複数の図柄が付された奥、中、手前の３つのリールが多層化された複数のリール層と、各リール層に対応してストップボタンを備える。各リール層について、ストップボタンの押下が１回目の場合には、奥のリールを停止し（７０）、ストップボタンの押下が２回目の場合には、中のリールを停止し（７６）、ストップボタンの押下が３回目の場合には、手前のリールを停止する（８０）。このように、多層化したリール各々を遊技者が選択的に停止を指示することができる。【選択図】      図１２
2004298359.tif 000002
【特許請求の範囲】
【請求項１】
各々複数の図柄が付された複数のリールが多層化された少なくとも１つのリール層と、
前記リール層の前記複数のリール各々を回転及び停止させる回転停止手段と、
前記リール層の前記複数のリール各々の回転の停止を選択的に指示するための指示手段と、
前記リール層の前記複数のリール各々が回転すると共に、前記指示手段により前記停止が指示された場合には、停止が指示されたリールの回転が停止するように、前記回転手段を制御する制御手段と、
を備えた遊技機。
【請求項２】
各々入賞図柄を含む複数の図柄が付された複数のリールが多層化された複数のリール層からなるリール層列と、
前記リール層列の各リール層の前記複数のリール各々を回転及び停止させる回転停止手段と、
前記リール層の前記複数のリール各々が回転するように前記回転停止手段を制御すると共に、前記リール層列の内の１つの第１のリール層内の第１の層のリールの入賞図柄と、他の第２のリール層内の該第１の層とは異なる層の第２の層のリールの入賞図柄と、が予め定められた入賞ラインで停止する場合に入賞したことを確定する制御手段と、
を備えた遊技機。
【請求項３】
各々入賞図柄を含む複数の図柄が付された複数のリールが多層化された複数のリール層からなるリール層列と、
前記リール層列の各リール層の前記複数のリール各々を回転及び停止させる回転停止手段と、
前記リール層の前記複数のリール各々が回転するように前記回転停止手段を制御すると共に、複数のリール層列各々の最手前に位置するリール以外の互いに同じ層のリールの入賞図柄が予め定められた入賞ラインで停止する場合に入賞したことを確定する制御手段と、
を備えた遊技機。
【請求項４】
各々入賞図柄を含む複数の図柄が付された複数のリールが多層化された少なくとも１つのリール層と、
前記リール層の前記複数のリール各々を回転及び停止させる回転停止手段と、
前記リール層の前記複数のリール各々が回転するように前記回転停止手段を制御すると共に、前記リール層の前記複数のリール各々に付された入賞図柄が所定位置で重なるように停止する場合に入賞したことを確定する制御手段と、
を備えた遊技機。
【請求項５】
前記リールの少なくとも図柄が付された部分は透明体で構成され、
前記リールに付された図柄は透明発光素子で構成され、
前記制御手段は、前記リール層の前記複数のリール各々に付された入賞図柄が所定位置で重なるように停止した場合、前記リール層の前記複数のリールの内、少なくとも最奥側に位置するリールに付された入賞図柄が発光するように前記透明発光素子を制御する、
ことを特徴とする請求項４記載の遊技機。
【請求項６】
前記リール層の前記複数のリールに付された入賞図柄は各々異なる色で発光可能な透明発光素子で構成され、
前記制御手段は、前記リール層の前記複数のリール各々に付された入賞図柄が所定位置で重なるように停止した場合、前記リール層の前記複数のリール各々に付された入賞図柄が全て発光するように前記透明発光素子を制御する、
ことを特徴とする請求項５記載の遊技機。
【請求項７】
前記リールの少なくとも図柄が付された部分は透明体で構成され、
前記リールに付された図柄は透明発光素子で構成され、
前記制御手段は、前記リール層の前記複数のリール各々に付された入賞図柄が所定位置で重ならないように停止した場合、前記リール層の前記複数のリールの内、最手前側に位置するリールに付された入賞図柄のみが発光するように前記透明発光素子を制御する、
ことを特徴とする請求項４記載の遊技機。
【請求項８】
前記リール層の前記複数のリール各々の回転の停止を選択的に指示するための指示手段を更に備え、
前記制御手段は、前記指示手段により前記停止が指示された場合には、停止が指示されたリールの回転が停止するように、前記回転手段を制御する、
ことを特徴とする請求項２乃至請求項７の何れか１項に記載の遊技機。
【発明の詳細な説明】
【０００１】
【発明の属する技術分野】
本発明は、遊技機に係り、より詳細には、複数の図柄が付された少なくとも１つのリールを備え、該リールを回転させる遊技機に関する。
【０００２】
【従来の技術】
従来、複数の図柄が付された３つのリールを備え、各リールを回転させると共に所定の抽選結果に応じて所定図柄を所定位置に停止させるスロットマシン等が知られている。上記従来のスロットマシンは、上記リールに付された図柄そのものに多くの工夫を凝らしてあるが、単に図柄を所定位置に規則正しく並べるという単純なものであった。
【０００３】
このような事実に鑑み、３列に並ぶ各々のリールを２層化し、表面層の第１のリール上の図柄と、内部層の第２のリール上の図柄と、を合成することにより、合成図柄を形成するスロットマシンが提案されている。即ち、遊技者がスタートボタンを押すことにより、各リールを回転させ、所定の抽選の結果、入賞しかつストップボタンが押された場合には、表面層の第１のリール上の所定の入賞図柄を所定位置に位置するように第１のリールの回転を制御しかつ内部層の第２のリール上の所定の図柄を所定位置に位置するように第２のリールの回転を制御する（特許文献１参照。）。
なお、３列に並ぶ各々のリールを２層化し、表面層の図柄と内部層の図柄とを合成することにより、合成図柄を形成する装置がその他にも提案されている（特許文献２、３参照。）。
【０００４】
【特許文献１】
特開２０００−６１０２７号公報（段落００５２〜段落００６０、図１１、図１２）
【特許文献２】
特開２００１−３４０５１１号公報
【特許文献３】
特開２００２−６５９９５号公報
【０００５】
【発明が解決しようとする課題】
しかしながら、上記遊技機では、３列に並ぶ各々のリールを２層化しているが、各列のリールに対応してストップボタンを１つ設け、該ストップボタンが押された場合には、２層化されたリールの第１のリール及び第２のリールを共に自動的に回転制御している。従って、遊技者は、各リールを個別に停止を指示することはできない。
【０００６】
本発明は、上記事実に鑑み成されたもので、多層化したリール各々を遊技者が選択的に停止を指示することの可能な遊技機を提案することを第１の目的とする。
また、上記遊技機では、上記合成図柄は、表面層の入賞図柄を、内部層の図柄により補強するものであり、３列に並ぶ各々のリールを２層化していても、２層化したリールを１つのリールとして３列に並ぶリールの合成図柄が入賞ラインに並ぶ場合に入賞したとするものである。
【０００７】
その他、表面層の入賞図柄が入賞ラインに並んでいなくても、内部層の図柄を表面層の入賞図柄に合成させることにより、３列のリール各々で合成図柄が存在する場合に入賞とするものもある。
このように、従来の遊技機では、３列に並ぶ各々のリールを２層化していても、２層化したリールを１つのリールとして３列に並ぶリールの合成図柄が並ぶ場合に入賞したとするものである。従って、２層化したリールを有効活用していない。
また、本発明は、上記事実に鑑み成されたもので、多層化したリールを有効活用することの可能な遊技機を提供することを第２の目的とする。
【０００８】
【課題を解決するための手段】
上記第１の目的を達成するため請求項１記載の発明に係る遊技機は、各々複数の図柄が付された複数のリールが多層化された少なくとも１つのリール層と、前記リール層の前記複数のリール各々を回転及び停止させる回転停止手段と、前記リール層の前記複数のリール各々の回転の停止を選択的に指示するための指示手段と、前記リール層の前記複数のリール各々が回転すると共に、前記指示手段により前記停止が指示された場合には、停止が指示されたリールの回転が停止するように、前記回転手段を制御する制御手段とを備えている。
【０００９】
即ち、本発明は、少なくとも１つのリール層を備えている。このリール層は、複数の図柄が付された複数のリールが多層化されたものである。なお、本発明では、複数のリール層を備えることができることは勿論である。
回転停止手段は、リール層の複数のリール各々を回転及び停止させる。指示手段は、リール層の複数のリール各々の回転の停止を選択的に指示するための手段である。なお、指示手段は、各リールに対応して設けられたリールの数と同じ数の個別指示手段を備えて構成するようにしてもよい。また、リール層に対応して１つ指示手段を設けるようにしてもよい。
【００１０】
なお、リール層に対応して１つ指示手段を設けた場合には、該指示手段により指示される毎に、各リールを個別に選択して停止を指示するとしてもよい。なお、この場合、該指示手段により指示される毎に、各リールを、ランダムに、又は、所定の順番、例えば、手前側から奥側に順に又はこれとは逆の順に、各リールを個別に選択して停止を指示するとしてもよい。
【００１１】
制御手段は、リール層の複数のリール各々が回転すると共に、指示手段により停止が指示された場合には、停止が指示されたリールの回転が停止するように、回転手段を制御する。
以上説明したように、各々複数の図柄が付された複数のリールが多層化された少なくとも１つのリール層と、リール層の複数のリール各々の回転の停止を選択的に指示するための指示手段と、を備え、指示手段により停止が指示された場合には、停止が指示されたリールの回転を停止するので、多層化したリール各々を遊技者が選択的に停止を指示することができる。
【００１２】
上記第２の目的を達成するため請求項２記載の発明に係る遊技機は、各々入賞図柄を含む複数の図柄が付された複数のリールが多層化された複数のリール層からなるリール層列と、前記リール層列の各リール層の前記複数のリール各々を回転及び停止させる回転停止手段と、前記リール層の前記複数のリール各々が回転するように前記回転停止手段を制御すると共に、前記リール層列の内の１つの第１のリール層内の第１の層のリールの入賞図柄と、他の第２のリール層内の該第１の層とは異なる層の第２の層のリールの入賞図柄と、が予め定められた入賞ラインで停止する場合に入賞したことを確定する制御手段とを備えている。
【００１３】
本発明では、各々入賞図柄を含む複数の図柄が付された複数のリールが多層化されたリール層を複数備えてリール層列を構成している。回転停止手段は。リール層列の各リール層の複数のリール各々を回転及び停止させる。
制御手段は、リール層の複数のリール各々が回転するように回転停止手段を制御する。
また、制御手段は、複数のリール層列の内の１つの第１のリール層列内の第１の層のリールの入賞図柄と、他の第２のリール層内の該第１の層とは異なる層の第２の層のリールの入賞図柄とが予め定められた入賞ラインで停止する場合に入賞したことを確定する。
【００１４】
このように、各々入賞図柄を含む複数の図柄が付された複数のリールが多層化された複数のリール層列を備え、リール層列の内の１つの第１のリール層列内の第１の層のリールの入賞図柄と、他の第２のリール層内の該第１の層とは異なる層の第２の層のリールの入賞図柄と、が予め定められた入賞ラインで停止する場合に入賞したことを確定するので、入賞ライン上の最手前の層のリールの図柄の組み合わせ以外の組み合わせにより入賞を確定することができ、多層化したリールを有効活用することができる。
【００１５】
請求項３記載の発明の遊技機は、各々入賞図柄を含む複数の図柄が付された複数のリールが多層化された複数のリール層列と、前記リール層列の各リール層の前記複数のリール各々を回転及び停止させる回転停止手段と、前記リール層の前記複数のリール各々が回転するように前記回転停止手段を制御すると共に、複数のリール層列各々の最手前に位置するリール以外の互いに同じ層のリールの入賞図柄が予め定められた入賞ラインで停止する場合に入賞したことを確定する制御手段と、を備えている。
【００１６】
なお、上記請求項２記載の発明は、リール層列の内の１つの第１のリール層列内の第１の層のリールの入賞図柄と、他の第２のリール層内の該第１の層とは異なる層の第２の層のリールの入賞図柄とが予め定められた入賞ラインで停止する場合に入賞したことを確定するのに対し、請求項３記載の発明では、リール層列各々の最手前に位置するリール以外の互いに同じ層のリールの入賞図柄が予め定められた入賞ラインで停止する場合に入賞したことを確定する。
請求項３記載の発明も、入賞ライン上の最手前の層のリールの図柄の組み合わせ以外の組み合わせにより入賞を確定することができ、多層化したリールを有効活用することができる。
【００１７】
請求項４記載の発明は、各々入賞図柄を含む複数の図柄が付された複数のリールが多層化された少なくとも１つのリール層と、前記リール層の前記複数のリール各々を回転及び停止させる回転停止手段と、前記リール層の前記複数のリール各々が回転するように前記回転停止手段を制御すると共に、前記リール層の前記複数のリール各々に付された入賞図柄が所定位置で重なるように停止する場合に入賞したことを確定する制御手段と、を備えている。
即ち、本発明は、少なくとも１列のリール層を備えている。リール層は、各々複数の図柄が付された複数のリールが多層化されたものである。なお、本発明では、複数列のリール層を備えることができることは勿論である。
【００１８】
回転停止手段は、リール層の複数のリール各々を回転及び停止させる。
制御手段は、リール層の複数のリール各々が回転するように回転停止手段を制御する。
また、制御手段は、リール層の複数のリール各々に付された入賞図柄が所定位置で重なるように停止する場合に入賞したことを確定する。
このように、リール層の複数のリール各々に付された入賞図柄が所定位置で重なるように停止する場合に入賞したことを確定するので、入賞ライン上の最手前の層のリールの図柄の組み合わせ以外の組み合わせにより入賞を確定することができ、多層化したリールを有効活用することができる。
【００１９】
請求項５記載の発明は、請求項４記載の発明において、リールの少なくとも図柄が付された部分は透明体で構成され、リールに付された図柄は透明発光素子で構成され、制御手段は、リール層の複数のリール各々に付された入賞図柄が所定位置で重なるように停止した場合、リール層の複数のリールの内、少なくとも最奥側に位置するリールに付された入賞図柄が発光するように透明発光素子を制御することを特徴とする。
【００２０】
また、請求項６記載の発明は、請求項５記載の発明において、リール層の複数のリールに付された入賞図柄は各々異なる色で発光可能な透明発光素子で構成され、制御手段は、リール層の複数のリール各々に付された入賞図柄が所定位置で重なるように停止した場合、リール層の複数のリール各々に付された入賞図柄が全て発光するように透明発光素子を制御する。
【００２１】
更に、請求項７記載の発明は、請求項４において、リールの少なくとも図柄が付された部分は透明体で構成され、リールに付された図柄は透明発光素子で構成され、制御手段は、リール層の複数のリール各々に付された入賞図柄が所定位置で重ならないように停止した場合、リール層の複数のリールの内、最手前側に位置するリールに付された入賞図柄のみが発光するように透明発光素子を制御することを特徴とする。
【００２２】
一方、請求項８記載の発明は、請求項２乃至請求項７の何れか１項に記載に発明において、リール層の複数のリール各々の回転の停止を選択的に指示するための指示手段を更に備え、制御手段は、指示手段により停止が指示された場合には、停止が指示されたリールの回転が停止するように、回転手段を制御することを特徴とする。
【００２３】
なお、上記のように、指示手段は、各リールに対応して設けられたリールの数と同じ数の個別指示手段を備えて構成するようにしてもよい。また、リール層に対応して１つ指示手段を設けるようにしてもよい。なお、リール層に対応して１つ指示手段を設けた場合には、該指示手段により指示される毎に、各リールを個別に選択して停止を指示するとしてもよい。なお、この場合、該指示手段により指示される毎に、各リールを、所定の順番、例えば、手前側から奥側に順に又はこれとは逆の順に、各リールを個別に選択して停止を指示するとしてもよい。
【００２４】
【発明の実施の形態】
以下、本発明の実施の形態の遊技機としてのスロットマシンの実施形態について、図１及び図２を参照して説明する。
図１は、本実施形態のスロットマシンの正面構成を示す正面図、図２は、本実施形態のスロットマシンの内部構成を示す斜視図、図３〜図５はこの実施形態におけるリール層列の構成を説明する図である。
【００２５】
図１に示すように、スロットマシン１は、メダル投入口２と、ＢＥＴスイッチ３と、ＭＡＸＢＥＴスイッチ４と、スタートレバー５と、ストップボタン６Ａ〜６Ｃと、表示窓７とを有している。
ここで、メダル投入口２は、遊技者により、メダルが直接投入される。
このメダル投入口２は、メダルの投入を検知する図略のメダル投入検知部を有している。このメダル投入検知部は、投入されたメダルを検知して、検知信号を後述の制御手段２０へ送信する。
【００２６】
ＢＥＴスイッチ３とＭＡＸＢＥＴスイッチ４とは、貯留されたメダルの中からゲームに賭けるメダル数を決める。
これらのうちＢＥＴスイッチ３は、一回の操作につき一枚を賭け数とする。一方、ＭＡＸＢＥＴスイッチ４は、一回の操作につき最大枚数（通常は、三枚）を賭け数とする。
【００２７】
スタートレバー５は、ＢＥＴスイッチ３及びＭＡＸＢＥＴスイッチ４で決められたメダルの賭け数を決定するとともに、リール層列１００（図３参照）を構成する後述の各リール層１００Ａ、１００Ｂ、１００Ｃの回転を開始させる。
表示窓７は、各リール層１００Ａ、１００Ｂ、１００Ｃに描かれた複数の図柄のうち、一又は二以上の図柄をスロットマシン１の前面に表示する。
ストップボタン６Ａ〜６Ｃは、各リール層１００Ａ、１００Ｂ、１００Ｃと同数（通常は三つ）設けられ、対応するリール層１００Ａ、１００Ｂ、１００Ｃの回転を停止する。なお、ストップボタン６Ａ〜６Ｃは、指示手段に対応する。
【００２８】
次に、図３〜図５を参照しながら、リール層列１００の構成について説明する。
前記したように、この実施形態のリール層列１００は、三つのリール層１００Ａ、１００Ｂ、１００Ｃから構成されている。
なお、各リール層１００Ａ、１００Ｂ、１００Ｃは各々同様の構成であるので、以下、リール層１００Ｃを代表して説明する。
リール層１００Ｃは、図４に示すように、複数、本実施の形態では、３つのリール１００Ｃ１〜１００Ｃ３が多層化されて構成されている。
【００２９】
３つのリール１００Ｃ１〜１００Ｃ３は各々同様の構成であるので、以下、リール１００Ｃ１を代表して説明する。リール１００Ｃ１は、図５に示すように、入賞図柄を含む複数の図柄４０が付されている。
本実施の形態では、図柄４０は、ＥＬ素子で形成されている。
ＥＬ素子は、直流電源により高輝度、高コントラストかつ依存性のない自発光を発することを特徴とする。また、ＥＬ素子は、低電圧域の電源（通常、３Ｖ〜９Ｖ）で点灯・消灯制御が可能である。
【００３０】
さらに、ＥＬ素子は、薄膜（たとえば、厚さ０．３ｍｍ）に加工形成が可能である。このため、はさみなどを用いて人間の手で自由に図柄の形成ができる。
そして、ＥＬ素子は、軽量であるため、後述するモータの回転制御の負担とはならない。
【００３１】
このＥＬ素子は、図柄４０に形成された後、リール１００Ｃ１の外周面上に直接貼付することができる。
また、リール１００Ｃ１において図柄４０の描かれる部分を、その図柄４０の外形にかたどって切り抜き、その図柄４０のデザインに加工・形成されたＥＬ素子を嵌め込むこともできる。
【００３２】
さらには、リール１００Ｃ１において図柄４０の外形にかたどって切り抜かれた部分に、その図柄４０のデザインに加工・形成されたＥＬ素子を後方から貼付することもできる。
つまり、ＥＬ素子は、図柄４０のバックライトとしての役割を担うのではなく、図柄４０自体を形成する。このため、ＥＬ素子は、遊技者によって直接目視され、図柄４０そのものとして認識される。
なお、図柄４０を形成する材料は、ＥＬ素子に限るものではなく、たとえば、エレクトロルミネセンス液晶（ＥＬ液晶）などのように、自ら発光し、かつ曲面に形成可能な材料を用いることもできる。
【００３３】
次に、リール層１００Ｃの内部構成を、図６を参照しながら説明する。
図６（Ａ）に示すように、リール層１００Ｃの回転中心に主軸１１０が配置されている。主軸１１０の外側には、第１の軸１０２Ｃ１が同軸状に、図示しないボールベアリングを介して回転可能に取り付けられている。この第１の軸１０２Ｃ１の一端には、ギア１０４Ｇ１が取り付けられている。第１の軸１０２Ｃ１の他端には、リール１００Ｃ１を支えると共に第１の軸１０２Ｃ１の回転と共に回転する複数の支柱１００Ｃ１１が取り付けられている。
【００３４】
第１の軸１０２Ｃ１の外側には、第２の軸１０２Ｃ２が同軸状に、図示しないボールベアリングを介して回転可能に取り付けられている。第２の軸１０２Ｃ２の一端には、ギア１０４Ｇ２が取り付けられている。第２の軸１０２Ｃ２の他端には、リール１００Ｃ２を支えると共に第２の軸１０２Ｃ２の回転と共に回転する複数の支柱１００Ｃ２１が取り付けられている。
第２の軸１０２Ｃ２の外側には、第３の軸１０２Ｃ３が同軸状に、図示しないボールベアリングを介して回転可能に、取り付けられている。第３の軸１０２Ｃ３の一端には、ギア１０４Ｇ３が取り付けられている。第３の軸１０２Ｃ３の他端には、リール１００Ｃ３を支えると共に第３の軸１０２Ｃ３の回転と共に回転する複数の支柱１００Ｃ３１が取り付けられている。
【００３５】
第１の軸１０２Ｃ１の一端に取付けられたギア１０４Ｇ１には、図６（Ｂ）にも示すように、モータＭＣ１の回転軸に取付けられたギアが噛み合っている。従って、モータＭＣ１が回転すると、その回転力は、前記ギア及びギア１０４Ｇ１を伝達して第１の軸１０２Ｃ１に伝達され、第１の軸１０２Ｃ１が回転する。第１の軸１０２Ｃ１が回転すると、複数の支柱１００Ｃ１１が第１の軸１０２Ｃ１の回転と共に回転し、よって、リール１００Ｃ１が回転する。
なお、その他のリール１００Ｃ２、１００Ｃ３も同様の原理により回転するので、その説明を省略する。
【００３６】
次に、本実施の形態のスロットマシンの制御系を、図７を参照しながら説明する。
図７に示すように、スロットマシンは、装置全体を制御する、コンピュータにより構成された制御手段２０を備えている。
制御手段２０は、各々コンピュータにより構成された制御部２１０、ＥＬ制御部２２０、及びモータ制御部２３０を有している。なお、制御手段は、図示しない記憶部を備え、ゲームのプログラムや各種データが記憶されている。
制御部２１０は、上記したメダル投入検知部２１、ＢＥＴスイッチ３、ＭＡＸＢＥＴスイッチ４、スタートレバー５、及び、各リール層に対応して設けられたストップボタン６（６Ａ〜６Ｃ）の他、ＥＬ制御部２２０、及びモータ制御部２３０が接続されており、スロットマシン１の構成各部を制御する。
【００３７】
ＥＬ制御部２２０は、制御部２１０からのＥＬ制御信号にもとづき、図柄４０を形成するＥＬ素子の点灯制御を行う。このＥＬ素子の点灯の制御には、ＥＬ素子の点灯時間、点灯及び消灯のタイミング、点灯周期、点灯光度等の制御が含まれる。
モータ制御部２３０は、リール層１００Ａ〜１００Ｃのリール１００Ａ１〜Ａ３、リール１００Ｂ１〜Ｂ３、及びリール１００Ｃ１〜Ｃ３を回転及び該回転を停止するために、各モータＭＡ１〜ＭＡ３、ＭＢ１〜ＭＢ３、ＭＣ１〜ＭＣ３を制御する。
【００３８】
電源装置３０（電源）（図２参照）は、スロットマシン１の構成各部へ駆動用及び制御用の電力（電圧及び電流を含む）を供給する。
また、電源装置３０は、図柄４０を形成するＥＬ素子へ、点灯用の電力を送る。
なお、電源装置３０に接続された図示しない電源側配線と、図柄（ＥＬ素子）４０に接続されてリールとともに回転するＥＬ側配線（リールから上記支柱を介して第１の軸等に配線されている）とは、接続部を介して接続されている。なお。接続部は、通電ベアリングからなり、ＥＬ側配線に接続されてリールに設けられる回転端子及び電源側配線に接続されて回転端子と接触する固定端子からなる。
制御部２１０の制御により、モータ制御部２３０は、各モータＭＡ１〜ＭＡ３、ＭＢ１〜ＭＢ３、ＭＣ１〜ＭＣ３を制御し、各リールの図柄を所定位置で停止するように、各リールの回転を制御する。
【００３９】
ところで、入賞ラインは、本実施の形態では、図１に示すように、５本有する。一方、本実施の形態では、リールを多層化したリール層を３列備えているので、５本の入賞ライン各々には、複数の組み合わせが存在する。
以下、本実施の形態における入賞ラインの入賞図柄の複数の組み合わせを、図８〜図１０を参照しながら説明する。
図８（Ａ）に示すように、手前、中、奥とは、例えば、図４に示すように、手前のリール１００Ｃ１、中のリール１００Ｃ２、奥のリール１００Ｃ３を示す。また、左列、中、右列は、図３に示すように、左列のリール層１００Ａ、中のリール層１００Ｂ、右列のリール層１００Ｃの位置を示す。
【００４０】
図８（Ｂ）には、従来からある３つのリール層の各々の手前に位置するリールの入賞図柄が入賞ラインで停止する場合である。
図８（Ｃ）及び図８（Ｄ）は、３つのリール層の各々の手前に位置するリール以外の互いに同じ層のリールの入賞図柄が入賞ラインで停止する場合を示している。なお、図８（Ｃ）は、３つのリール層の各々の手前に位置するリール以外の互いに同じ層（中の層）のリールの入賞図柄が入賞ラインで停止する場合であり、図８（Ｄ）は、３つのリール層の各々の手前に位置するリール以外の互いに同じ層（奥の層）のリールの入賞図柄が入賞ラインで停止する場合を示している。
【００４１】
図９（Ａ）〜図９（Ｄ）には、３つのリール層列の内の１つの第１のリール層列内の第１の層のリールの入賞図柄と、他列の第２のリール層内の該第１の層とは異なる層の第２の層のリールの入賞図柄と、が入賞ラインで停止する場合を示している。
なお、図９（Ａ）及び図９（Ｂ）には、３つのリール層の各々のリール層の各々異なる層のリールの入賞図柄が入賞ラインで停止する場合を示している。また、図９（Ｃ）及び図９（Ｅ）には、３つのリール層の内の２つのリール層の互いに同じ層のリールの入賞図柄と、他のリール層の異なる層のリールの入賞図柄と、が入賞ラインで停止する場合を示している。
【００４２】
図１０（Ａ）〜図１０（Ｃ）は、各リール層の多層化された３つのリール各々に付された入賞図柄が重なるように入賞ラインに停止する場合を示している。
なお、以上説明した組み合わせは、１つの入賞ラインについて説明したが、メダルの掛け方により、有効な入賞ラインが増えた場合には、それぞれについて上記の組み合わせが成立する場合があるので、より多い入賞の組み合わせを発生させることができる。
【００４３】
［スロットマシンの動作］
次に、以上のような構成からなる本実施形態に係るスロットマシンの動作について、図１１及び図１２を参照しつつ説明する。
まず、遊技者がメダル投入口２にメダルを投入することでゲームが開始される（図１１に示すステップ５２）。
ここで、投入されるメダルは、通常、入賞ライン（図１参照）に対応して１枚賭け，２枚賭け又は３枚賭けに割り当てられ、４枚以上のメダルが投入された場合、４枚以上のメダルは貯留メダルとして２回目以降のゲームに使用されることになる。
【００４４】
メダル投入後は、スタートレバー４が押下されることにより（ステップ５４）、三つのリール層１００Ａ〜１００Ｃが回転を開始し、それと同時に、制御部２１０において抽選が行われ（ステップ５６）、内部当たりになった場合には、入賞図柄の位置を取り込む（ステップ５８）。なお、本明細書において、「内部当たり」とは、抽選の結果、複数ある役のうちのいずれかに当選した状態をいうものとする。
遊技者はストップボタン６Ａ〜６Ｃを押下し、「目押し」を行って所定の図柄配列を揃えることができるようになり、リール層１００Ａ〜１００Ｃが停止される（ステップ６０）。以下、このリール停止・図柄表示処理（ステップ６０）を、図１２を参照して説明する。なお、このリール停止・図柄表示処理（ステップ６０）は、各リール層の各々について同様に実行するので、以下、１つのリール層１００Ｃを例にとり説明する。
【００４５】
ステップ６６で、ストップボタン６Ｃが押下されたか否かを判断し、ストップボタン６Ｃが押された場合に、ステップ６８で、本リール停止・図柄表示処理が実行されてからストップボタン６Ｃの押下が１回目か否かを判断する。なお、本実施の形態では本リール停止・図柄表示処理が実行される毎にストップボタン６Ｃの押下回数をカウントし、本リール停止・図柄表示処理終了した場合に該カウント値をリセットしている。
【００４６】
ストップボタン６Ｃの押下が１回目と判断された場合には、ステップ７０で、奥のリール１００Ｃ３を停止し、ステップ７２で、図柄４０を表示して、ステップ６６に戻る。即ち、内部当たりになっている場合には、図１３（Ａ）に示すように、奥のリール１００Ｃ３上の入賞図柄４０Ｃ３を点灯する。
再度押され、ストップボタン６Ｃの押下が１回目と判断されなかった場合には、ステップ７４で、本リール停止・図柄表示処理が実行されてからストップボタン６Ｃの押下が２回目か否かを判断する。
【００４７】
ストップボタン６Ｃの押下が２回目と判断された場合には、ステップ７６で、中のリール１００Ｃ２を停止し、ステップ７８で、図柄４０を表示して、ステップ６６に戻る。なお、内部当たりなっている場合には、図１３（Ａ）に示すように、中のリール１００Ｃ２上の入賞図柄４０Ｃ２を消灯して、奥のリール１００Ｃ３上の入賞図柄４０Ｃ３が目立つようにする。
更に押され、ストップボタン６Ｃの押下が２回目と判断されなかった場合には、  ストップボタン６Ｃの押下が３回目と判断され、ステップ８０で、手前のリール１００Ｃ１を停止し、ステップ８２で、図柄４０を表示して本処理を終了する。
【００４８】
例えば、内部当たりになった場合には、図１３（Ａ）に示すように、手前のリール１００Ｃ１上の入賞図柄４０Ｃ１を消灯して、奥のリール１００Ｃ３上の入賞図柄４０Ｃ３が目立つようにする。この表示態様とは異なり、各リール上の入賞図柄が各々異なる色の発光する発光素子で構成し、例えば、手前のリールの入賞図柄を赤、中のリールの入賞図柄を青、そして、奥のリールの入賞図柄を緑に発光させ、全体として白色に見えるようにしてもよい。
【００４９】
一方、内部当たりになっていない場合には、図１３（Ｂ）に示すように、手前のリール１００Ｃ１上の図柄４０Ｃ１２を点灯して、中及び奥のリール上の図柄を目立たなくする。
上記の処理の後に、図１１に示すように、入賞内容に応じた処理が行わる（ステップ６２）。例えば、「ビッグ・ボーナス」等のボーナス・ゲームに入賞している場合、所定量のメダルが払い出されるとともにボーナス・ゲーム状態に入り、また、「小役」に入賞している場合には少量のメダルが払い出されることになる。
【００５０】
その後は、通常のスロットマシン遊技と同様、遊技者の判断によりゲームの続行又は終了が選択され（ステップ６４）、ゲームが続行される場合には、メダル（貯留メダルを含む）の投入により、２回目以降のゲームが開始される（ステップ５２に戻る）。なお、ゲームが続行されない場合には終了となる。
以上説明したように、各々複数の図柄が付された３つのリールが多層化された３列のリール層と、リール層の３つのリール各々の回転の停止を選択的に指示するためのストップボタンとを備え、ストップボタンにより押下により、停止が指示されたリールの回転を停止するので、多層化したリール各々を遊技者が選択的に停止を指示することができる。
【００５１】
また、本実施の形態では、入賞ライン上の手前の層のリールの図柄の組み合わせ以外の組み合わせにより入賞を確定することができ、多層化したリールを有効活用することができる。よって、ゲーム性の向上が期待できる。
以上説明した実施の形態では、主軸１１０の外側に、手前リール用の第１の軸１０２Ｃ１を設け、第１の軸１０２Ｃ１の外側に中リール用の第２の軸１０２Ｃ２を設け、第２の軸の外側に奥リール用の第３の軸１０２Ｃ３を設けるようにしているが、更に、図１４に示すように、各軸１０２Ｃ１〜１０２Ｃ３を、基支柱１３０により支えられた支柱１２０Ｃ１〜１２０Ｃ３により支えるようにしてもよい。
なお、以上ではスロットマシンを例にとり説明したが、本発明はこれに限定されるものではなく、パチンコ機やその他の装置に適用可能である。
【００５２】
【発明の効果】
以上説明したように本発明は、各々複数の図柄が付された複数のリールが多層化された少なくとも１つのリール層と、リール層の複数のリール各々の回転の停止を選択的に指示するための指示手段と、を備え、指示手段により停止が指示された場合には、停止が指示されたリールの回転を停止するので、多層化したリール各々を遊技者が選択的に停止を指示することができる、という効果を有する。
また、本発明は、入賞ライン上の最手前の層のリールの図柄の組み合わせ以外の組み合わせにより入賞を確定することができ、多層化したリールを有効活用することができる、という効果を有する。
【図面の簡単な説明】
【図１】本実施の形態のスロットマシンにおける前面の構成を示す正面図である。
【図２】本実施の形態のスロットマシンの内部構成を示す斜視図である。
【図３】多層化した３つのリール層を示した図である。
【図４】多層化した１つのリール層を示した図である。
【図５】各リールに付された図柄を示した図である。
【図６】（Ａ）は、多層化したリール層の内部構成を示す断面図であり、（Ｂ）は、ギアをモータとの関係を示した図である。
【図７】本実施の形態のスロットマシンのブロック図である。
【図８】入賞図柄の組み合わせを示す図である。
【図９】入賞図柄の組み合わせを示す他の図である。
【図１０】入賞図柄の組み合わせを示す更に他の図である。
【図１１】本発明の一実施形態に係るスロットマシンの動作を示すフローチャートである。
【図１２】図１１のステップ６０のリール停止・図柄表示処理サブルーチンを示すフローチャートである。
【図１３】合成図柄の態様を示した図であり、（Ａ）は、入賞図柄の合成図柄の一例を示し、（Ｂ）は、入賞しない場合の合成図柄の一例を示した図である。
【図１４】（Ａ）は、他の例における多層化したリール層列の内部構成を示す断面図であり、（Ｂ）は、ギアをモータとの関係を示した図である。
【符号の説明】
１  スロットマシン
２  メダル投入口
２１  メダル投入検知部
３  ＢＥＴスイッチ
４  ＭＡＸＢＥＴスイッチ
５  スタートレバー
６Ａ〜６Ｃ  ストップボタン
７  表示窓
２０  制御手段
４０  ＥＬ素子
１０  ドラムユニット
１００Ａ〜１００Ｃ  リール
１０２Ｃ１〜１０２Ｃ３  軸
ＭＡ１〜ＭＡ３  モータ
ＭＢ１〜ＭＢ３  モータ
ＭＣ１〜ＭＣ３  モータ
１１０  主軸
２１０  制御部
２２０  ＥＬ制御部
２３０  モータ制御部
【図１】
2004298359.tif 000003
【図２】
2004298359.tif 000004
【図３】
2004298359.tif 000005
【図４】
2004298359.tif 000006
【図５】
2004298359.tif 000007
【図６】
2004298359.tif 000008
【図７】
2004298359.tif 000009
【図８】
2004298359.tif 000010
【図９】
2004298359.tif 000011
【図１０】
2004298359.tif 000012
【図１１】
2004298359.tif 000013
【図１２】
2004298359.tif 000014
【図１３】
2004298359.tif 000015
【図１４】
2004298359.tif 000016